(57)【要約】      （修正有）【課題】はがき、クーポン、シールなどの取り外し可能な部分とともに、より多くの情報や図などを掲載することが可能なシート状印刷物を廉価に提供する。【解決手段】取り外し可能な分離領域と残される残置領域とがシート本体２に形成されるシート状印刷物１である。シート本体２は、両面に印刷が施された紙片を折り重ねた二層構造を有し、紙片を折り重ねただけの非接合部３と、紙片を折り重ねて剥離可能に接着した接合部４とを備える。二層構造のシート本体２の上層に設けられたミシン目のアンカット部を破断し、非接合部３の上層と下層２４との合わせ面を開くとともに、接合部４を剥離して上層と下層２４との合わせ面を露出する。分離領域として、非接合部３に切り離し可能に設けられたはがき本体５１、クーポン７１と、接合部４に剥離可能に設けられた保護シール６１と、を設ける。【選択図】図１
0003191696.tif 000002
【実用新案登録請求の範囲】
【請求項１】
取り外し可能な分離領域と残される残置領域とがシート本体に形成されるシート状印刷物であって、
前記シート本体は、両面に印刷が施された紙片を折り重ねた二層構造を有し、前記紙片を折り重ねただけの非接合部と、前記紙片を折り重ねて剥離可能に接着した接合部とを備え、
二層構造の前記シート本体の一方の層に、少なくとも一箇所にアンカット部を設けた切込みが設けられ、前記アンカット部を破断し、前記非接合部の二層の合わせ面を開くとともに、前記接合部を剥離して二層の合わせ面を露出可能に構成され、
前記分離領域として、前記非接合部に前記残置領域とアンカット部を介して接続され切り離し可能に設けられた切離部と、前記接合部に剥離可能に設けられたシール部と、を有することを特徴とするシート状印刷物。
【請求項２】
前記シート本体は、前記非接合部に、前記シート本体から起立する起立部を有し、前記起立部が前記シート本体から切り離されることなく起立するように前記起立部の周縁に沿って前記非接合部の一方の層に、起立用折目と起立用切込とを形成することを特徴とする請求項１に記載のシート状印刷物。
【請求項３】
前記分離領域は、前記シート本体の一方の層に設けられ、二層構造の前記シート本体を、中央付近から前記一方の層を内側にして折り畳み、前記一方の層の互いに対峙した端縁近傍を剥離可能に接着することを特徴とする請求項１又は２に記載のシート状印刷物。
【考案の詳細な説明】
【技術分野】
【０００１】
本考案は、広告や宣伝のために配布されるチラシ、ブック状玩具、子供向け教材、雑誌や本の綴込み、又はダイレクトメールなどに使用される、取り外し可能なはがきやクーポンなどが付いたシート状印刷物に関するものである。
【背景技術】
【０００２】
従来、チラシや本の綴込みなどのシートの一部が、取り外し可能なはがきとなっている印刷物が知られている。例えば特許文献１には、紙片を重ねて貼り合せた二層構造のはがきが、ミシン目から切り離せる構成が開示されている。
【先行技術文献】
【特許文献】
【０００３】
【特許文献１】特開２００４−１３３０６５号公報
【考案の概要】
【考案が解決しようとする課題】
【０００４】
しかしながら特許文献１に開示された印刷物では、紙片を剥離不能に接着しているため、表面と裏面のはがき部分以外の領域にしか広告情報を掲載できず、掲載できる情報量が限られていた。
【０００５】
また、この特許文献１では、はがき部分のみ剥離不能に接着し、はがき部分以外の領域を剥離可能に張り合わせた実施形態も開示されている。この場合、印刷物の表面および裏面だけでなく、貼り合わせ面にも広告情報を表示することができるが、やはり、はがき部分は剥離不能であるため、その張り合わせ面を有効利用することはできなかった。また、貼り合わせ面の全周又は全面に離形剤層や接着剤層を設ける必要があり、コスト高となっていた。
【０００６】
そこで、本考案は、はがき、クーポン、シールなどの取り外し可能な部分とともに、より多くの情報や図などを掲載することが可能なシート状印刷物を廉価に提供することを目的としている。
【課題を解決するための手段】
【０００７】
前記目的を達成するために、本考案のシート状印刷物は、取り外し可能な分離領域と残される残置領域とがシート本体に形成されるシート状印刷物であって、前記シート本体は、両面に印刷が施された紙片を折り重ねた二層構造を有し、前記紙片を折り重ねただけの非接合部と、前記紙片を折り重ねて剥離可能に接着した接合部とを備え、二層構造の前記シート本体の一方の層に、少なくとも一箇所にアンカット部を設けた切込みが設けられ、前記アンカット部を破断し、前記非接合部の二層の合わせ面を開くとともに、前記接合部を剥離して二層の合わせ面を露出可能に構成され、前記分離領域として、前記非接合部に前記残置領域とアンカット部を介して接続され切り離し可能に設けられた切離部と、前記接合部に剥離可能に設けられたシール部と、を有することを特徴とする。
【０００８】
また、前記シート本体は、前記非接合部に、前記シート本体から起立する起立部を有し、前記起立部が前記シート本体から切り離されることなく起立するように前記起立部の周縁に沿って前記非接合部の一方の層に、起立用折目と起立用切込とを形成することが好ましい。
【０００９】
さらに、前記分離領域は、前記シート本体の一方の層に設けられ、二層構造の前記シート本体を、中央付近から前記一方の層を内側にして折り畳み、前記一方の層の互いに対峙した端縁近傍を剥離可能に接着することが好ましい。
【考案の効果】
【００１０】
このように構成された本考案のシート状印刷物は、両面に印刷が施された紙片を折り重ねた二層構造を有し、前記紙片を折り重ねただけの非接合部と、前記紙片を折り重ねて剥離可能に接着した接合部とを備えている。二層構造のシート本体の一方の層に、少なくとも一箇所にアンカット部を設けた切込部が設けられ、アンカット部を破断し、前記非接合領域の二層の合わせ面を開くとともに、接合部を剥離して二層の合わせ面を露出可能に構成されている。
【００１１】
そして、分離領域として、残置領域とアンカット部を介して接続され切り離し可能に設けられた切離部と、接合部に剥離可能に設けられたシール部と、を有している。
【００１２】
このため、はがき、クーポン、シールなどの取り外し可能な部分とともに、より多くの情報や図などを掲載することができるシート状印刷物を廉価に提供することができる。
【図面の簡単な説明】
【００１３】
【図１】本考案の実施の形態のシート状印刷物としてのはがき付き印刷物の使用状態を説明する斜視図である。
【図２】シート本体が展開された状態を示した説明図である。
【図３】シート本体の両端を折り畳んだ状態を示した説明図である。
【図４】はがき付き印刷物の完成した状態を説明する平面図である。
【図５】はがき付き印刷物が開いた状態の構成を説明する平面図である。
【考案を実施するための形態】
【００１４】
以下、本考案の実施の形態について図面を参照して説明する。図１は、本実施の形態のシート状印刷物としてのはがき付き印刷物１の構成及び使用方法を説明するための斜視図である。
【００１５】
このはがき付き印刷物１は、図１−図３に示すように、両面に印刷が施された紙片を折り重ねた二層構造のシート本体２で構成されている。このシート本体２は、紙片を折り重ねただけの非接合部３と、紙片を折り重ねて剥離可能に接着した接合部４とを備えている。このようなシート本体２に、はがき部５、シール部６、クーポン部７、及び、起立部８が設けられている。
【００１６】
シート本体２は、図２に示すように、短辺２１Ａ，２１Ｂと長辺２１Ｃ，２１Ｄを有する略長方形（例えば、Ａ４サイズの紙４枚分）に形成された１枚の紙片である。シート本体２には、必要に応じて第一面２ａと第二面２ｂ（図３参照）の両面に広告、図、文字などの広告情報の印刷が施される。なお、図２−図５中の矢印は、シート本体２に印刷されたものではなく、紙片の折方向又は展開方向を示す矢印を示す。
【００１７】
この略長方形のシート本体２を、短辺２１Ａ，２１Ｂと平行な折目２２Ａ，２２Ｂでそれぞれ折り重ね、図３に示すように、左右の短辺２１Ａ，２１Ｂ（端縁）をシート本体２の中央付近で対峙させて積層し、二層構造としている。短辺２１Ａ，２１Ｂを対峙させて形成した層を上層２３（一方の短辺２１Ａ側を第一の上層２３Ａとし、他方の短辺２１Ｂ側を第二の上層２３Ｂとする）とし、この上層２３が積層される層を下層２４とする。
【００１８】
シール部６は、第一の上層２３Ａ側に、クーポン部７は第二の上層２３Ｂ側に、中央の折目２２Ｃを挟んで長辺２１Ｄ側に並んで設けられている。起立部８は、シール部６及びクーポン部７と直列して、長辺２１Ｃ側に設けられている。はがき部５は、シール部６に隣接して第一の上層２３Ａ側に設けられている。また、二層構造のシート本体２の両側であって、はがき部５、シール部６、クーポン部７及び起立部８以外の領域は、これらの利用方法、商品広告、講座情報などの広告情報を掲載する広告領域となっている。この広告領域のはがき部５側を広告領域９Ａとし、クーポン部７側を広告領域９Ｂとする。広告領域９Ａ，９Ｂは、上層２３と下層２４とを積層しただけの非接合部３に形成される。
【００１９】
はがき部５は、上層２３と下層２４とを積層しただけの非接合部３の第一の上層２３Ａに設けられ、取り外し可能な分離領域（切離部）としてのはがき本体５１を有している。はがき本体５１は、一方の面（例えばシート本体２の紙片の第二面２ｂ）への印刷によって宛名面５２が形成され、他方の面（例えばシート本体２の第一面２ａ）への印刷によって通信面５３が形成される。はがき部５は、第一の上層２３Ａのみに、はがき本体５１の周縁に沿ってミシン目からなる切取線５４を設けることによって形成されている。この切取線５４のミシン目のアンカット部によって、はがき本体５１はシート本体２と接続され、使用時は、この切取線５４に沿って、はがき本体５１を切り離すことができる。
【００２０】
はがき本体５１は、例えば第一種郵便物の定形郵便物に該当する長方形に成形される。定形郵便物の最小形状は、長辺が１４ｃｍで短辺が９ｃｍであり、最大形状は長辺が２３．５ｃｍで短辺が１２ｃｍで厚さが１ｃｍである。なお、重さは５０ｇ以下であればよく、下限値の制限はない。
【００２１】
シール部６は、上層２３と下層２４とを積層して剥離可能に接着した接合部４に設けられている。シール部６は、はがき本体５１の通信面５３の表面に張り付けられ、個人情報などの秘匿情報を保護する長方形状の個人情報保護シール（以下、「保護シール」と呼ぶ）６１と、保護シール６１が剥離可能に接着される台紙６２とを有している。保護シール６１は、第一の上層２３Ａに設けられ、台紙６２は下層２４に設けられる。
【００２２】
保護シール６１は、シール部６の上層２３に、保護シール６１の形状に合わせて、切込み６５を入れて形成している。保護シール６１の一方の面（第二面２ｂ）には、「個人情報保護シール」の文字及び個人情報が視認できないような色や記号などが印刷されている。図２に示すように、保護シール６１の他方の面（第一面２ａ）には、剥離と再接着とが可能な粘着剤の塗布によって、粘着層６３が設けられている。また、台紙６２の他方の面（第一面２ａ）には、コーティング剤を塗布してコーティング層６４が設けられている。
【００２３】
なお、保護シール６１と台紙６２との合わせ面、すなわち、保護シール６１の他方の面（第一面２ａ）及び台紙６２の一方の面（第一面２ａ）にも、文字や図などの広告情報を印刷することができる。保護シール６１を台紙６２から剥離した際に、これらの情報を視認することができる。したがって、より多くの広告情報を提供することができる。
【００２４】
シール部の保護シール６１は、全周縁が切込み６５によって切り取られ、シート本体２の上層２３から分離した状態で台紙６２に接着されている。そのため、未使用時には台紙６２から保護シール６１が不測に剥がれることがないが、使用時には保護シール６１を台紙６２から容易に剥離することができる。
【００２５】
クーポン部７は、割引券や優待券などの複数のクーポン７１と、クーポン７１が取り外し可能に接続される外周枠シール７２と、外周枠シール７２が剥離可能に接着される台紙７３と、を有している。クーポン７１と外周枠シール７２とは、上層２３（第二の上層２３Ｂ）に設けられ、台紙７３は下層２４に設けられている。クーポン部７において、外周枠シール７２が設けられた領域は、外周枠シール７２（上層２３）と台紙７３（下層２４）とが剥離可能に接着された接合部４を構成している。一方、クーポン７１が設けられた領域は、クーポン７１（上層２３）と台紙７３（下層２４）とが接着されておらず、積層しただけの非接合部３を構成している。
【００２６】
各クーポン７１の一方の面（第二面２ｂ）には、例えば、各クーポン７１の種類などが印刷され、他方の面（第一面２ａ）には、例えば、割引率や優待率、割引や優待の内容などが印刷されている。
【００２７】
外周枠シール７２の一方の面（第一面２ａ）には、例えば、クーポン７１の使用方法や切り取り方法、その他の文字や図などの広告情報を印刷することができる。
【００２８】
外周枠シール７２の他方の面（第一面２ａ）には、剥離可能な粘着剤を塗布して粘着層７４が設けられている。台紙７３の他方の面（第一面２ａ）の、外周枠シール７２が接着される範囲に、コーティング剤を塗布してコーティング層７５が設けられている。
【００２９】
本実施形態では、クーポン７１には粘着剤を塗布していないため、台紙７３でも、クーポン７１が積層する範囲には、コーティング剤を塗布していない。しかし、制作の手間に応じて台紙７３の全面にコーティング剤を塗布することもできる。また、クーポン７１の他方の面（第一面２ａ）にも粘着剤を塗布して、台紙７３に剥離可能に接着し、シール状のクーポン７１とすることもできる。
【００３０】
また、外周枠シール７２と台紙７３との合わせ面、すなわち、外周枠シール７２の他方の面（第二面２ｂ）及び台紙７３の一方の面（第二面２ｂ）にも、文字や図などの広告情報を印刷することができる。クーポン７１をすべて切り取った後、又はクーポン７１ごと外周枠シール７２を台紙７３から剥離することで、外周枠シール７２と台紙７３との合わせ面に印刷された広告情報を視認することができる。したがって、より多くの広告情報を掲載することができる。
【００３１】
本実施形態のクーポン７１は、横長の長方形状であり、一方の長辺に沿ってミシン目が入れられ、切取線７６が設けられている。また、他方の長辺と両側の短辺には連続する切込み７７が設けられている。各クーポン７１は、切取線７６のミシン目のアンカット部により外周枠シール７２と接続しており、不測に脱落することはない。使用時には、切取線７６に沿って外周枠シール７２からクーポン７１を容易に切り取ることができる。
【００３２】
クーポン７１を切り取ったり、めくったりすることで、クーポン７１が積層する下層２４の第一面２ａ側に印刷された広告情報を視認することができる。また、すべてのクーポン７１を切り取ったあとに残る外周枠シール７２の他方の面（第一面２ａ）や台紙７３の一方の面（第一面２ａ）にも文字や図形などを印刷しておけば、台紙７３から外周枠シール７２を剥離することで、これらの情報をユーザが視認することができ、ユーザにより多くの広告情報を提示することができる。
【００３３】
シール部６及びクーポン部７の粘着層６３，７４とコーティング層６４，７５とは、印刷後のシート本体２の該当領域にそれぞれに形成される。粘着層６３，７４に用いられる粘着剤には、例えばアクリル系粘着剤などの不溶性の糊が使用される。また、コーティング層６４，７５に用いられるコーティング剤には、例えばシリコーン樹脂を使用することができる。シリコーン樹脂には、溶剤型、無溶剤型、エマルジョン型などがあり、例えば、ＵＶシリコーンが使用できる。
【００３４】
起立部８は、図１，図３に示すように、シート本体２を両側からそれぞれ折り重ねた際に突き合わされる短辺２１Ａ，２１Ｂを挟んで、第一及び第二の上層２３Ａ，２３Ｂに形成されている。起立部８は、この第一及び第二の上層２３Ａ，２３Ｂと下層２４とを積層しただけの非接合部３に設けられている。
【００３５】
起立部８は、図１に示すように、シート本体２から立体的に立上る起立片８１Ａ，８１Ｂと、起立片８１Ａ，８１Ｂを支持する基部８２Ａ，８２Ｂと、を有している。起立片８１Ａ，８１Ｂを形成するため、第一及び第二の上層２３Ａ，２３Ｂには、起立片８１Ａ，８１Ｂの周縁に沿って起立用折目８３Ａ，８３Ｂと起立用切込８４Ａ，８４Ｂとが設けられている。また、基部８２Ａ，８２Ｂは、下層２４に接着剤を塗布して設けられた接着層８５（図２参照）を介して、下層２４に接着されている。この起立用折目８３Ａ，８３Ｂ、起立用切込８４Ａ，８４Ｂ、接着された基部８２Ａ，８２Ｂにより、起立片８１Ａ，８１Ｂがシート本体２から切り離されたり、浮き上がったりすることなく起立可能となる。
【００３６】
また、起立用折目８３Ａ，８３Ｂは、シート本体２の短辺２１Ａ，２１Ｂとのなす角が鈍角となるように形成される。この起立用折目８３Ａ，８３Ｂは、ミシン目などで折れ易くしたものであっても、折る位置を線で示したものであっても、凹溝を設けて線を示したものであっても、いずれでもよい。
【００３７】
また、起立用切込８４Ａ，８４Ｂは、起立用折目８３Ａ，８３Ｂの端部と短辺２１Ａ，２１Ｂとを結ぶようにＬ字状に切り込まれる。この結果、起立用折目８３Ａ，８３Ｂを起点にして起立片８１Ａ，８１Ｂを起こす方向に折り曲げると、起立用切込部８４Ａ，８４Ｂと短辺２１Ａ，２１Ｂとによって外形が形成される起立片８１Ａ，８１Ｂを起立させることができる。
【００３８】
さらに、起立片８１Ａ，８１Ｂには、短辺２１Ａ，２１Ｂの周辺に接合用折目８６Ａ，８６Ｂが設けられている。この接合用折目８６Ａ，８６Ｂは、起立用折目８３Ａ，８３Ｂと略直交する方向に向けて形成される。この接合用折目８６Ａ，８６Ｂも、ミシン目などで折れ易くしたものであっても、折る位置を線で示したものであってもいずれでもよい。
【００３９】
そして、両側の起立片８１Ａ，８１Ｂの接合用折目８６Ａ，８６Ｂを折り曲げて、二等辺三角形状の端縁周辺の表面を互いに接着剤で接着して端縁接合部８７Ａ，８７Ｂとする。この結果、図１に示すように、起立片８１Ａ，８１Ｂを壁のように略台形の立体形状にすることができる。
【００４０】
起立片８１Ａ，８１Ｂの両面（第一面２ａ，第二面２ｂ）には、文字や図などの広告情報が印刷されるが、特に重要な情報などを印刷することが好ましい。起立片８１Ａ，８１Ｂが起立することで、これらの重要情報を、利用者に印象付けて提示することができる。
【００４１】
以上のように構成されたはがき付き印刷物１において、はがき本体５１、保護シール６１及びクーポン７１は、シート本体２から取り外し可能な分離領域である。この分離領域以外の残される領域、すなわち、起立部８及び広告領域９Ａ，９Ｂを含む領域が、残置領域である。
【００４２】
次に、図面を参照しながら本実施形態のはがき付き印刷物１の製作方法及び使用方法について説明する。
【００４３】
まず、ロール紙からシート本体２を引き出し、両面印刷機（図示せず）によってシート本体２の第一面２ａ及び第二面２ｂに印刷を行う。すなわち、はがき部５、シール部６、クーポン部７、起立部８及び広告領域９とするのに必要な印刷は、この工程ですべて行う。
【００４４】
印刷後に、リワインダー装置（図示せず）によって巻き取られたシート本体２をオフライン加工機（図示せず）にセットし、再び引き出された印刷済みのシート本体２に対して、図２に示すように、第一面２ａの所定の範囲にＵＶシリコーンを塗布してコーティング層６４，７５を形成する。
【００４５】
そして、コーティング層６４，７５をＵＶ硬化させた後に、第一面２ａの所定の範囲に粘着剤を塗布して、粘着層６３，７４を形成する。また、第一面２ａの所定の範囲に接着剤を塗布して、接着層８５を形成する。
【００４６】
シート本体２の粘着層６３，７４とコーティング層６４，７５とを設けた領域が、接合部４となる。接合部４以外の領域には、粘着層やコーティング層を設けないことで、非接合部３が形成される。したがって、粘着剤を全面に塗布した後に、上塗り印刷やコーティングなどによって粘着力を取り除く方法などに比べて、粘着剤などの使用を必要最小限に抑えることができ、廉価な実施が可能となる。
【００４７】
次に、シート本体２を折り重ねる工程に移行する。図２に示される一点鎖線は、山折りを表し、二点鎖線は谷折りを表す。まず、はがき付き印刷物１ごとに切断されたシート本体２を折目２２Ａ，２２Ｂで谷折りに折り曲げ、左右の短辺２１Ａ，２１Ｂをシート本体２の中央付近で対峙させて二層構造とし、第一の上層２３Ａ、第二の上層２３Ｂ及び下層２４を形成する。なお、シート本体２を、中央付近の折目２２Ｃで折り畳み易くなるように、左右の短辺２１Ａ，２１Ｂは、互いに当接することなく、数ミリの間隙を介して対峙させる。
【００４８】
そして、粘着層６３，７４とコーティング層６４，７５とを貼り合わせることで、シール部６とクーポン部７とが形成される。また、上層２３の所定領域を接着層８５に接着することで、起立部８の基部８２Ａ，８２Ｂが形成される。
【００４９】
次に、図３に示すように、上層２３と下層２４とが折り重ねられた状態のまま、ダイカッタで上層２３のみに切込みやミシン目を入れる工程に移行する。この工程では、はがき部５となる領域では、はがき本体５１の形状に合わせて、切取線５４となる箇所にミシン目を入れる。このとき、はがき部５とシール部６との境界は、ミシン目ではなく、切込みを入れて分離してもよいが、この境界部分もミシン目、又は、少なくとも一箇所にアンカット部を入れた切込みで切取線５４を形成することで、はがき本体５１が下層２４から不測に浮き上がるのを防ぐことができる。シール部６では、保護シール６１の形状に合わせて、全周を切り抜き、切込み６５を形成する。
【００５０】
また、クーポン部７となる領域では、クーポン７１の切取線７６となる箇所にミシン目を入れ、切込み７７となる箇所をクーポン７１の形状に合わせて切り抜く。さらに、クーポン部７と広告領域９Ｂとの境界に、ミシン目を入れて切取線７８を形成する。また、クーポン部７と広告領域９Ｂとの境界で、上層２３を切り離してもよいが、ミシン目の切取線７８とすることで、アンカット部でクーポン部７と広告領域９Ｂとが接続され、広告領域９Ｂの上層２３が不測に浮き上がったり、めくれたりするのを防ぐことができる。
【００５１】
また、起立部８の起立用折目８３Ａ，８３Ｂとなる箇所及び起立用切込８４Ａ，８４Ｂとなる箇所にミシン目を入れる。また、必要に応じて接合用折目８６Ａ，８６Ｂにもミシン目を入れる。なお、起立用切込８４Ａ，８４Ｂとなる箇所は、ミシン目ではなく切込みを入れてもよい。さらに、広告領域９Ａ，９Ｂの上層２３に、折目２２Ａ，２２Ｂに沿って粘着剤を塗布して粘着層９１Ａ，９１Ｂを形成する。ここまでは、印刷、シート本体２の折り重ね、裁断に至るまで一貫した工程で行うことができる。
【００５２】
次に、起立部８を形成する工程に移行する。まず、起立用切込８４Ａ，８４Ｂとなる箇所に入れたミシン目を破断して起立用切込８４Ａ，８４Ｂを形成することで、起立片８１Ａ，８１Ｂを形成する。なお、このミシン目の破断の際に、基部８２Ａ，８２Ｂの周縁（図３の二点鎖線の円で囲った部分）は破断せずに残しておくことで、基部８２Ａ，８２Ｂと広告領域９Ａ，９Ｂとが接続され、長辺２１Ｃ側での広告領域９Ａ，９Ｂの上層２３の不測の浮き上がりやめくれを防ぐことができる。
【００５３】
続いて、起立用折目８３Ａ，８３Ｂを折り曲げ、この起立用折目８３Ａ，８３Ｂを起点として起立片８１Ａ，８１Ｂをそれぞれ起立させる。その後、接合用折目８６Ａ，８６Ｂを折り曲げて、二等辺三角形状の端縁周辺の表面を互いに接着剤で接着することで、端縁接合部８７Ａ，８７Ｂを形成する。このように、端縁接合部８７Ａ，８７Ｂによって第一、第二の上層２３Ａ，２３Ｂを互いに一体にしても、図４に示すように、中央の折目２２Ｃを介してはがき付き印刷物１を閉じることができる。
【００５４】
最後に、二層構造のシート本体２を、折目２２Ｃで折り重ね、折目２２Ａと折目２２Ｂとを互いに近接して配置し、粘着層９１Ａ，９１Ｂを貼り合わせることで、図４に示すように、もとの紙片のほぼ４分の１のサイズ（例えば、Ａ４サイズ）のはがき付き印刷物１を形成することができる。また、最上層に配置された下層２４の折目２２Ｂの下端付近に、その位置から剥離することを示す目印２５が印刷されている。なお、シート本体２を折目２２Ｃで折り重ねたときに、図４に示すように、折目２２Ａと折目２２Ｂとが１ｃｍ程度ずれるような寸法合わせとすることで、はがき付き印刷物１を開き易くなる。この粘着層９１Ａ，９１Ｂの接着により、利用者に届くまで、はがき付き印刷物１が不測に開くのを防ぐことができる。
【００５５】
このようにして製作されたシート状のはがき付き印刷物１は、ダイレクトメールとして利用者に配布される。そのため、例えば、図４に一点鎖線で囲った宛名領域２６に、利用者の宛名が印刷される。宛名領域２６は、図４では長辺２１Ｃ側の片隅に設けているが、これに限定されることはなく、中央に設けてもよいし、長辺２１Ｄ側に設けてもよい。また、宛名の印刷に代えて宛名シールを添付することもできる。宛名領域２６以外の領域には、社名や広告情報などを掲載することができる。
【００５６】
このはがき付き印刷物１を受け取った利用者は、シート本体２の最上層や最下層の表（第二面２ｂ）に露出した部分に印刷された文字、図などの広告情報を視認する。これらの広告情報に関心を持った利用者は、さらに情報を収集するために、目印２５部分を保持して最上層を最下層から引き剥がして図１に示すようにはがき付き印刷物１を開く。折目２２Ａ，２２Ｂに沿って設けられた粘着層９１Ａ，９１Ｂの接着を剥がすことで、最下層と最上層とを簡単に分離して、はがき付き印刷物１を開くことができる。
【００５７】
すると、端縁接合部８７Ａ，８７Ｂによって一体になった起立部８の起立片８１Ａ，８１Ｂが、起立用折目８３Ａ，８３Ｂを起点にして起立用切込８４Ａ，８４Ｂから自然に起き上る。また、起立片８１Ａ，８１Ｂの起立により、下層２４の起立片８１Ａ，８１Ｂが積層していた領域が露出する。
【００５８】
このようにして起立片８１Ａ，８１Ｂが、シート本体２の中央に立体的に現れることで、利用者に印象付けることができ、利用者の興味を引くことができる。利用者は、起立片８１Ａ，８１Ｂの表面（第一面２ａ、第二面２ｂ）に印刷された広告情報や、下層２４の露出部分の広告情報を視認することができる。
【００５９】
また、はがき付き印刷物１を開くことで、図１に示すように、はがき部５、シール部６、クーポン部７及び広告領域９Ａ，９Ｂも露出する。広告領域９Ａ，９Ｂなどに印刷されたはがき部５の利用方法などを読んで、関心を持った利用者は、切取線５４であるミシン目に沿って、はがき本体５１を切り離す。
【００６０】
はがき本体５１の通信面５３に必要事項を記載したら、シール部６の台紙６２から保護シール６１を剥離し、通信面５３に張り付けることで、秘匿情報を保護することができる。したがって、利用者は安心して商品やカタログ申し込みなどを行うことができ、申込みの意欲を高めさせることができる。
【００６１】
また、保護シール６１を剥離することで、利用者は、台紙６２の一方の面（第一面２ａ）に印刷された広告情報を視認することができる。したがって、台紙６２の一方の面にも広告情報を印刷することができ、より多くの広告情報を掲載することができるとともに、利用者に対して、より多くの情報を提供することができる。
【００６２】
一方、クーポン部７に関心を持った利用者は、各クーポン７１をめくり、他方の面（第一面２ａ）に印刷された情報や、台紙７３に印刷された情報を読むことで、クーポン７１のさらに詳細な情報を知ることができる。また、切取線７６であるミシン目に沿って、クーポン７１を切り離して使用することができる。なお、クーポン７１が接続される外周枠シール７２は、台紙７３から剥離可能であるので、クーポン７１ごと外周枠シール７２を剥離して、店舗やスクールなどに持ち歩くこともできる。
【００６３】
また、外周枠シール７２を剥離することで、外周枠シール７２の他方の面（第一面２ａ）や、台紙７３の一方の面（第一面２ａ）に印刷された情報を利用者が視認することができる。したがって、利用者に対して、さらに多くの情報を提供することができる。
【００６４】
さらに、広告領域９Ａ，９Ｂにおいて、クーポン部７や起立部８と接続するアンカット部を破断して、図５に示すように、広告領域９Ａ，９Ｂを折目２２Ａ，２２Ｂから開いてシート本体２を展開する。これにより、広告領域９Ａ，９Ｂの上層２３と下層２４との合わせ面、すなわち、広告領域９Ａ，９Ｂの上層２３の他方の面と下層２４の一方の面（ともに第一面２ａ）に印刷された広告情報を利用者が視認することができる。
【００６５】
次に、本実施の形態のはがき付き印刷物１の作用について説明する。
【００６６】
以上のように構成された本実施の形態のはがき付き印刷物１は、二層構造であり、シール部６やクーポン部７（外周枠シール７２）が形成された接合部４と、はがき部５や広告領域９Ａ，９Ｂ、クーポン７１が形成された非接合部３とが、ミシン目のアンカット部で接続されている。また、分離領域のはがき本体５１やクーポン７１は残置領域とミシン目のアンカット部で接続されている。分離領域の保護シール６１は、粘着層６３により台紙６２に接着されている。
【００６７】
そのため、配布時などの意図しない時機に非接合部３が開いたり、浮き上がったり、捲れたりするのを防ぐことができる。さらに、分離領域の不測の脱落も防ぐことができ、利用者の好きなときに容易に分離領域のはがき本体５１、クーポン７１、保護シール６１などを取り外すことができる。また、非接合部３には粘着剤やコーティング剤を使用しないため、材料費を低減してシート状印刷物１を廉価に実施することができる。
【００６８】
そして、ミシン目のアンカット部を破断して、非接合部３に設けられた広告領域９Ａ，９Ｂの上層２３と下層２４との合わせ面を開くことができ、この合わせ面に印刷された広告情報を利用者に提示することができる。また、接合部４に設けられた保護シール６１や外周枠シール７２を剥離することで、これらの裏面や台紙６２，７３に印刷された広告情報も利用者に提示することができる。このように、シート本体２の両面を効率的に利用して、より多くの広告情報を掲載可能な印刷物１とすることができる。
【００６９】
また、シート本体２の中央に設けた起立部８の起立片８１Ａ，８１Ｂが、シート本体２から起立することで、起立片８１Ａ，８１Ｂに印刷した広告情報を立体的に見せて、利用者に強く印象付けることができる。
【００７０】
また、はがき本体５１、保護シール６１、クーポン７１などの分離領域を、上層２３に設け、折目２２Ｃから二層構造のシート本体２を、上層２３を内側にして折り畳み、上層２３の互いに対峙した端縁近傍を剥離可能に接着している。そのため、配布時などの意図しない時機に、広告領域９Ａ，９Ｂが開いたり、分離領域が外れたりするのを良好に防ぐことができる。また、起立部８を設けた場合、折り畳時は起立片８１Ａ，８１Ｂが印刷物１の内側に収容され、折り畳みを解除した時に、広告情報が印刷された起立片８１Ａ，８１Ｂが自然に起立することとなり、利用者により強い印象を与えることができる。
【００７１】
以上、図面を参照して、本考案の実施の形態を詳述してきたが、具体的な構成は、この実施の形態に限らず、本考案の要旨を逸脱しない程度の設計的変更は、本考案に含まれる。
【００７２】
例えば、前記実施の形態では、シート本体２を紙片として説明したが、これに限定されるものではなく、合成樹脂などのシート、膜、薄板など、厚みが薄い面状材であればシート本体２にすることができる。
【００７３】
また、前記実施の形態では、分離領域をはがき本体５１、保護シール６１、クーポン７１として説明したが、これに限定されるものではない。例えば、招待券などを分離領域に設けてもよい。
【００７４】
さらに、前記実施の形態では、はがき本体５１、保護シール６１、クーポン７１、起立部８などを、長方形や台形に形成しているが、これに限定されるものではない。使用目的やデザインなどに応じて、正方形や他の多角形状、又は半円形状やドーム形状、若しくは、花形、星形など、デザイン化した形状とすることもできる。
【００７５】
また、起立部８は、基部８２Ａ，８２Ｂを接着してシート本体２から分離することのない残置領域としているが、これに限定されるものではない。例えば、起立部８にクーポンや招待券、はがきなどを印刷して、起立用折目８３Ａ，８３Ｂなどから切り離し可能、又は基部８２Ａ，８２Ｂを剥離可能とすれば、立体的に飛び出してきたクーポン等に興味を示した利用者が、切り離して利用するという行動に結び付けることができる。
【００７６】
さらに、前記実施の形態では、ダイレクトメールとして配布されるはがき付き印刷物１を使用する場合について説明したが、これに限定されるものではない。例えば、新聞の折込み広告、住戸の郵便受けに投函される広告、街頭や店頭で配布される広告、又は雑誌や本の綴込みなどに本考案のシート状印刷物を使用することができる。
【符号の説明】
【００７７】
１              はがき付き印刷物（シート状印刷物）
２              シート本体
２ａ            第一面
２ｂ            第二面
２１Ａ，２１Ｂ  短辺（端縁）
２３            上層
２３Ａ          第一の上層
２３Ｂ          第二の上層
２４            下層
３              非接合部
４              接合部
５１            はがき本体（分離領域、切離部）
５４            切取線（切込み）
６１            保護シール（分離領域、シール部）
７１            クーポン（分離領域、切離部）
７２            外周枠シール（分離領域、シール部）
７８            切取線（切込み）
８              起立部
【図１】
0003191696.tif 000003
【図２】
0003191696.tif 000004
【図３】
0003191696.tif 000005
【図４】
0003191696.tif 000006
【図５】
0003191696.tif 000007